(57)【要約】【課題】使用者の手間を増やすことなく消費電力の低減を可能とする。【解決手段】無線部１０は、アンテナ１１を介して移動無線通信システムの基地局に無線接続され、通信相手との間で音声通信、あるいはデータ通信を行う。制御部３０の着信検出部３０１は、通信相手からの着信を検出する。ロック処理部３０２は、電源制御部９１を制御して、ロック解除中は指紋認証部（装置）６０への電源供給を停止し、ロック設定後は、着信検出部で着信を検出した時点で指紋認証部へ電源を供給し、指紋認証処理を開始させる。また、ロック処理部は、指紋認証部に指紋認証処理を開始させた時点でタイマ３２を起動し、当該タイマがタイムアウトした時点で指紋認証部の指紋認証結果が良でなければ、電源制御部を制御して指紋認証部への電源供給を停止する。【選択図】      図１
2005159656.tif 000002
【特許請求の範囲】
【請求項１】
移動通信システムの基地局に無線により接続されて通信相手と通信することができ、且つ、ロック設定により一部機能の実行を制限し、内蔵する指紋認証装置による指紋認証結果に基づいてロック解除し前記一部機能の実行制限を解除する携帯電話機において、
前記通信相手からの着信を検出する着信検出手段と、
前記指紋認証装置への電源の供給／供給停止を制御する電源制御手段と、
前記電源制御手段を制御して、ロック解除中は前記指紋認証装置への電源供給を停止し、ロック設定後は、前記着信検出手段で着信を検出した時点で前記指紋認証装置へ電源を供給し、当該指紋認証装置に指紋認証処理を開始させるロック処理手段とを有することを特徴とする携帯電話機。
【請求項２】
使用者の操作による指紋認証開始を指示するスイッチ手段を有し、
前記ロック処理手段が、前記スイッチ手段が操作された時点で前記電源制御手段を制御して前記指紋認証装置へ電源を供給し、当該指紋認証装置に指紋認証処理を開始させることを特徴とする請求項１記載の携帯電話機。
【請求項３】
所定時間を計時するタイマ手段を有し、
前記ロック処理手段が、前記指紋認証装置に指紋認証処理を開始させた時点で前記タイマ手段を起動し、当該タイマ手段がタイムアウトした時点で前記指紋認証装置の指紋認証結果が良でなければ、前記電源制御手段を制御して前記指紋認証装置への電源供給を停止することを特徴とする請求項１記載の携帯電話機。
【請求項４】
可視光を発光するランプを有し、
前記ロック処理手段が、前記指紋認証装置へ電源を供給している期間中、前記ランプを発光させることを特徴とする請求項１または３記載の携帯電話機。
【請求項５】
可聴音を出力するブザーを有し、
前記ロック処理手段が、前記指紋認証装置へ電源を供給している期間中、前記ブザーを鳴動させることを特徴とする請求項１または３記載の携帯電話機。
【請求項６】
前記着信検出手段が検出する着信が、音声通信における音声着信であることを特徴とする請求項１記載の携帯電話機。
【請求項７】
前記着信検出手段が検出する着信が、データ通信におけるメール着信であることを特徴とする請求項１記載の携帯電話機。
【請求項８】
移動通信システムの基地局に無線により接続されて通信相手と通信することができ、且つ、ロック設定により一部機能の実行を制限し、内蔵する指紋認証装置による指紋認証結果に基づいてロック解除し前記一部機能の実行制限を解除する携帯電話機の消費電力低減方法において、
ロック解除中は、前記指紋認証装置への電源供給を停止し、
ロック設定後は、前記通信相手からの着信を検出した時点で前記指紋認証装置へ電源を供給し、当該指紋認証装置に指紋認証処理を開始させることを特徴とする消費電力低減方法。
【請求項９】
前記指紋認証装置で指紋認証処理を開始した時点から所定時間経過した時点で前記指紋認証装置の指紋認証結果が良でなければ、前記指紋認証装置への電源供給を停止することを特徴とする請求項８記載の消費電力低減方法。
【発明の詳細な説明】
【技術分野】
【０００１】
本発明は指紋認証によるロック解除機能を有する携帯電話機、及びその消費電力低減方法に関し、特に移動通信システムの基地局に無線により接続されて通信相手と通信することができ、且つ、ロック設定により一部機能の実行を制限し、内蔵する指紋認証装置による指紋認証結果に基づいてロック解除し前記一部機能の実行制限を解除する携帯電話機と、その消費電力低減方法とに関する。
【背景技術】
【０００２】
近年、パソコンでは、パソコン自身の盗難やパソコンに保存してあるデータを守るためのセキュリティ商品が販売されている。例えば、ＵＳＢポートへの抜き差しによってパソコンへのログインとログアウトを制御する認証キー、ＵＳＢポートへの抜き差しでデータの暗号化と暗号化解除を行うデータ暗号化キー、パソコンを動かすと加速度センサが衝撃や振動を感知し盗難を判断する盗難防止ＰＣカードのようなものがある。
【０００３】
一方、携帯電話機（移動通信端末）やＰＤＡ（携帯情報端末）では、ログイン時や重要データへのアクセス時にパスワード（暗証番号）を用いた認証を行っているが、携帯電話やＰＤＡでもパソコンと同等の重要データを保存しており、盗難やデータの盗み見に対しての対策が必要である。
【０００４】
携帯電話機では、ダイヤルロックというキー押下を無効にする機能があるが、ユーザへの認知度が低く、ダイヤルロックするための操作が面倒で使い勝手がよくない。また、重要データへのアクセス時にパスワード（暗証番号）入力を行っているが、所有者本人使用が明白な場合は、パスワード入力は煩わしい。
【０００５】
そこで、折り畳み式の携帯電話機（移動通信端末）において、ロック機構と指紋認証装置とを備え、折り畳んだ時に自動的に折り畳み状態から開くことができないようにロックを掛けるようにし、このロックを解除するためには、認証開始キーを押してから指紋認証を行うようにしたものがある（例えば、特許文献１参照）。
【０００６】
【特許文献１】特開２００２−３６８８７０号公報（第２頁、図１−１２）
【発明の開示】
【発明が解決しようとする課題】
【０００７】
ロック機能を有する携帯電話機において、ロック解除の動機（イベント）としては、使用者が発信する場合の他に、通信相手からの着信の場合が考えられる。また、電池（充電池）で動作する携帯電話機は、できるだけ消費電力を低減することが求められている。そのため、ロックした場合は、ロックにより使用できなくなる機能部分にはできるだけ電源供給を行わないようにすることが望ましい。しかし、ロック解除のために使用する指紋認証装置への電源供給を停止（電源オフ）することはできない。
【０００８】
したがって、ロック時に指紋認証装置に対し電源オフするようにした場合は、ロック解除のイベント発生時に、何らかの手段により指紋認証装置に対し電源供給（電源オン）するようにしなければならない。しかし、指紋認証装置専用の手動の電源スイッチを設けるようにするのでは、構造が複雑になるばかりでなく、どのようなロック解除のイベントに対してでも、必ず手動による電源スイッチ操作が必要となり、使用者の手間が増える。
【０００９】
本発明の目的は、ロック設定後、音声やメールの着信時に自動的に指紋認証装置へ電源供給することで、使用者の手間を増やすことなく消費電力の低減を可能とした指紋認証によるロック解除機能を有する携帯電話機、及びその消費電力低減方法を提供することにある。
【課題を解決するための手段】
【００１０】
本発明の請求項１に係る携帯電話機は、移動通信システムの基地局に無線により接続されて通信相手と通信することができ、且つ、ロック設定により一部機能の実行を制限し、内蔵する指紋認証装置による指紋認証結果に基づいてロック解除し前記一部機能の実行制限を解除する携帯電話機において、前記通信相手からの着信を検出する着信検出手段と、前記指紋認証装置への電源の供給／供給停止を制御する電源制御手段と、前記電源制御手段を制御して、ロック解除中は前記指紋認証装置への電源供給を停止し、ロック設定後は、前記着信検出手段で着信を検出した時点で前記指紋認証装置へ電源を供給し、当該指紋認証装置に指紋認証処理を開始させるロック処理手段とを有する。
【００１１】
本発明の請求項２に係る携帯電話機は、請求項１に係る携帯電話機において、使用者の操作による指紋認証開始を指示するスイッチ手段を有し、前記ロック処理手段が、前記スイッチ手段が操作された時点で前記電源制御手段を制御して前記指紋認証装置へ電源を供給し、当該指紋認証装置に指紋認証処理を開始させる構成を備える。
【００１２】
本発明の請求項３に係る携帯電話機は、請求項１に係る携帯電話機において、所定時間を計時するタイマ手段を有し、前記ロック処理手段が、前記指紋認証装置に指紋認証処理を開始させた時点で前記タイマ手段を起動し、当該タイマ手段がタイムアウトした時点で前記指紋認証装置の指紋認証結果が良でなければ、前記電源制御手段を制御して前記指紋認証装置への電源供給を停止する構成を備える。
【００１３】
本発明の請求項４に係る携帯電話機は、請求項１または３に係る携帯電話機において、可視光を発光するランプを有し、前記ロック処理手段が、前記指紋認証装置へ電源を供給している期間中、前記ランプを発光させる構成を備える。
【００１４】
本発明の請求項５に係る携帯電話機は、請求項１または３に係る携帯電話機において、可聴音を出力するブザーを有し、前記ロック処理手段が、前記指紋認証装置へ電源を供給している期間中、前記ブザーを鳴動させる構成を備える。
【００１５】
本発明の請求項６に係る携帯電話機は、請求項１に係る携帯電話機において、前記着信検出手段が検出する着信が、音声通信における音声着信である構成を備える。
【００１６】
本発明の請求項７に係る携帯電話機は、請求項１に係る携帯電話機において、前記着信検出手段が検出する着信が、データ通信におけるメール着信である構成を備える。
【００１７】
本発明の請求項８に係る消費電力低減方法は、移動通信システムの基地局に無線により接続されて通信相手と通信することができ、且つ、ロック設定により一部機能の実行を制限し、内蔵する指紋認証装置による指紋認証結果に基づいてロック解除し前記一部機能の実行制限を解除する携帯電話機の消費電力低減方法において、ロック解除中は、前記指紋認証装置への電源供給を停止し、ロック設定後は、前記通信相手からの着信を検出した時点で前記指紋認証装置へ電源を供給し、当該指紋認証装置に指紋認証処理を開始させる。
【００１８】
本発明の請求項９に係る消費電力低減方法は、請求項８に係る消費電力低減方法において、前記指紋認証装置で指紋認証処理を開始した時点から所定時間経過した時点で前記指紋認証装置の指紋認証結果が良でなければ、前記指紋認証装置への電源供給を停止する工程を有する。
【発明の効果】
【００１９】
本発明によれば、ロック設定後の音声着信等のイベントが発生した時に、指紋認証装置へ自動的に電源供給して指紋認証し、ロック解除するようにしたので、正当な使用者以外には使用させないというセキュリティ対策を維持したまま、かつ、使用者による指紋認証装置専用の手動の電源スイッチ操作を必要とすることなく、指紋認証装置にかかる消費電力を低減することができる。
【発明を実施するための最良の形態】
【００２０】
本発明は、正当な使用者のみに使用を許可するように、機械的あるいは電子的なロックが掛けられ、指紋認証によりロックを解除できる携帯電話機（特に折り畳み携帯電話機）やＰＤＡにおいて、認証に用いる指紋認証装置に対し、通常時（ロック解除中及びロック設定直後）は電源の供給を停止し、音声通話の着信時、あるいは電子メールの着信時に自動的に電源を供給することにより、使用者の手間を増やすことなく消費電力の低減を図るものである。
【００２１】
次に、本発明を実施するための最良の形態について図面を参照して詳細に説明する。
【００２２】
図１は本発明の携帯電話機の一実施の形態を示すブロック構成図である。図１において、本例の携帯電話機１は、折り畳み式の携帯電話機であり、無線部１０と、アンテナ１１と、音声信号処理部２０と、音声出力部２１と、音声入力部２２と、制御部３０と、メモリ３１と。タイマ３２と、表示部４１と、操作入力部４２と、ブザー４３と、ランプ部４４と、開閉検出・ロック機構５０と、指紋認証部（指紋認証装置）６０と、電源部９０と、電源制御部９１とを備えている。
【００２３】
無線部１０は、制御部３０の制御の下、アンテナ１１を介して図示していない移動無線通信システムの基地局に無線により接続され、所望の通信相手との間で音声通信、あるいはデータ通信を行う。
【００２４】
音声出力部２１は音声を出力するスピーカを有している。音声入力部２２は音声を入力するマイクロフォン（マイク）を有している。音声信号処理部２０は、無線部１０と接続され、制御部３０の制御の下、音声通信時の送信音声信号、及び受信音声信号を処理する。
【００２５】
メモリ３１は、制御部３０が動作するためのプログラムやデータを格納する。
【００２６】
タイマ３２は、制御部３０の制御の下、計時処理を行い、設定した時間の計時満了（タイムアウト）を通知する。
【００２７】
表示部４１は、文字や数字、図形を可視表示する表示器（ＬＣＤ：液晶ディスプレイ）を有し、制御部３０の制御の下、無線部１０で受信した受信データや、操作入力部４２から入力された文字情報、数字情報などを表示する。
【００２８】
操作入力部４２は、複数の入力スイッチ（キー）を有し、制御部３０の制御の下、使用者の操作結果に応じた情報を入力する。
【００２９】
ブザー４３は、制御部３０の制御の下、使用者に通知するための鳴動音を発生する。
【００３０】
ランプ部４４は、ＬＥＤ（発光ダイオード）などの複数のランプを有し、制御部３０の制御の下、使用者に通知するための光を発生する。
【００３１】
開閉検出・ロック機構５０は、制御部３０の制御の下、折り畳み式の自電話機の開／閉状態を検出するとともに、閉状態でのロックの設定／解除を行う。
【００３２】
指紋認証部（指紋認証装置）６０は、人の指の指紋を読み取る指紋センサ６０１を有し、制御部３０の制御の下、正当な使用者の指紋（指紋データ）を登録しておき、新たに読み取った指紋（指紋データ）と登録した指紋（指紋データ）との照合を行い、正当な使用者であるかの認証を行う。なお、正当な使用者の指紋を登録するメモリとしては、メモリを内蔵しこの内蔵メモリを使用するようにしてもよいし、外部メモリ（例えばメモリ３１）を使用するようにしてもよい。外部メモリを使用する場合は、ハードウェアの規模を縮小することができるが、照合時に外部メモリを参照する手間がかかる。
【００３３】
電源部９０は、バッテリ（充電池）を有し、自電話機内各部への電源を供給する。
【００３４】
電源制御部９１は、電源のオン／オフを切り替える複数のスイッチを有し、制御部３０の制御の下、着信待ち受けなどの各種動作モードに対応して、自電話機内各部への電源の供給（オン）／供給停止（オフ）を制御する。指紋認証部６０に対しては、スイッチ９１１により、電源オン／オフを制御する。
【００３５】
制御部３０は、プロセッサ（ＣＰＵ）を有し、メモリ３１に格納されたプログラムにより動作し、上述した自電話機内各部を制御する。また、無線部１０の受信信号を解析し、電話着信、あるいはメール着信を検出する着信検出部３０１と、発着信処理などのロック設定、ロック解除を制御するロック処理部３０２とを内包している。
【００３６】
図３は、携帯電話機１の外観構造例を示す図である。図３において、本例の携帯電話機１は、ヒンジ３により互いに結合され、開閉自在に設けられた上側筐体２と、下側筐体４とから成る折り畳み式の携帯電話機である。
【００３７】
上側筐体２及び下側筐体４にはそれぞれ、開閉検出・ロック機構５０が２分されて設けられており、上側筐体２及び下側筐体４が開状態か閉状態かを検出するとともに、閉状態になると自動的（機械的）にロックを掛け、指紋認証結果が良（ＯＫ）とならない限り開状態にならないようにする。なお、開閉検出機構やロック機構は、周知の適切な技術で実現できるので（例えば、特許文献１参照）、詳細説明は省略する。
【００３８】
また、上側筐体２の内面（閉状態時に隠れるところ）に、音声出力部２１のスピーカと、表示部４１の表示器とが設けてある。下側筐体４の内面に、音声入力部２２のマイクと、操作入力部４２のスイッチ群が設けられている。これらスイッチ（キー）のボタン部分にランプ部４４のランプを組み込むことができる。
【００３９】
さらに、下側筐体４の側面（閉状態時でも隠れないところ）に、指紋認証部６０の指紋センサ６０１と、指紋認証部６０に通電中であることを示すランプ部４４の１つのランプ４４１とが設けてある。また、着信以外に、使用者の意思により指紋認証部６０に通電することができるようにする場合は、操作入力部４２の１つのスイッチ４２１を設けることができる。
【００４０】
なお、指紋センサ６０１、ランプ４４１、及びスイッチ４２１については図３に示す位置（下側筐体４の最下端側面）に装着したが、閉状態（上側筐体２と下側筐体４とが折り畳んだ状態）でも使用可能な位置であればどこ装着されていてもよい。
【００４１】
次に本実施の形態例の動作を、図１，図３とともに、動作フローを示す図２、及び閉状態ロックの設定／解除の様子を模式的に示す図４を参照して説明する。なお、ここでは、ロックの種類としては、折り畳み式携帯電話機の機械的な折り畳み状態（閉状態）のロックとする。
【００４２】
あらかじめ、指紋認証部（指紋認証装置）６０に正当な使用者の指紋（指紋データ、複数の指の指紋データが望ましい）を登録しておく。登録は例えば次のようにして行う。使用者が操作入力部４２の適切に割り当てられたスイッチを操作することにより、制御部３０に登録を要求する。制御部３０（ロック処理部３０２）は、電源制御部９１を制御し、指紋認証部６０に電源を供給する。指紋認証部６０は、指紋センサ６０１から読み取った指紋をメモリ（内蔵、あるいは外部メモリ（例えばメモリ３１））に登録する。
【００４３】
開閉検出・ロック機構５０は、使用者による自電話機の上側筐体２と下側筐体４との開閉動作を監視し、監視結果を制御部３０のロック処理部３０２に通知する。
【００４４】
今、携帯電話機１は、上側筐体２と下側筐体４との開閉状態が開状態（図４の状態１）にあるとする。この状態では、ロックは掛けられておらず、携帯電話機の機能はすべて使えるようになっている。したがって、指紋認証の必要はなく指紋認証部６０への電源供給は停止されている。
【００４５】
この状態のとき、上側筐体２と下側筐体４との開閉状態を閉状態（図４の状態２）にしたとする。ロック処理部３０２は、上側筐体２と下側筐体４との開閉状態が開状態（図４の状態１）から閉状態（図４の状態２）になったと判断した場合に、閉状態ロックの設定要因が発生したと認識し（図２のステップＳ１１）、開閉検出・ロック機構５０に閉状態ロックを指示する。
【００４６】
開閉検出・ロック機構５０は、閉状態ロックの指示を受けると、上側筐体２と下側筐体４とが折り畳んだままで開かないよう（閉状態ロック）にする（図２のステップＳ１２）。
【００４７】
なお、上述の例では、閉状態ロックとするのにロック処理部３０２の制御（プログラム制御）によりハードウェア（ＨＷ）である開閉検出・ロック機構５０へ閉状態ロックするための指示を行う方法を採用したが、これに限定されず、プログラム制御が介入しないＨＷ構造（開閉検出・ロック機構５０）のみで上側筐体２と下側筐体４を折り畳んだ時に閉状態ロックする方法も考えられる。本発明ではどちらの方法でもよく、閉状態ロック中の状態がプログラム（ロック処理部３０２）で認識できるようになればよい。
【００４８】
この閉状態ロック時には、上側筐体２と下側筐体４とが折り畳んだままで開かないので、使用しようとする者が入力スイッチを操作したり、表示器の表示内容を読み取ることはできなく、正当な使用者のセキュリティが確保される（盗み見や、盗難にあった場合の不正使用、ユーザデータの流出を防ぐ）。
【００４９】
また、閉状態時には、制御部３０（ロック処理部３０２）は、無線部１０の動作モードを待ち受けモードとし、電源制御部９１を制御して、電話機内各部への電源供給を必要な部分だけに限定する。
【００５０】
この状態（閉状態ロック中）で、閉状態ロック解除イベントがあった場合の制御について説明する。ここでは、閉状態ロック解除イベントを、音声通信時の着信（音声着信）とする。あるいは、データ通信（パケット通信）時の着信（メール着信）ととしてもよい。
【００５１】
制御部３０は、無線部１０を制御し、図示していない基地局を介した通信相手からの着信の待ち受けを行わせる。着信があると、制御部３０の着信検出部３０１でそれを検出し（図２のステップＳ１３）、ロック処理部３０２に着信があることを通知する。
【００５２】
ロック処理部３０２は、着信の通知を受けると、現在、閉状態ロック中かどうかを判断する。閉状態ロック中でない場合は何もしないで処理終了するが、この場合は、閉状態ロック中なので、指紋認証によるロック解除処理を開始する。すなわちロック処理部３０２は、電源制御部９１（スイッチ９１１）を制御して指紋認証部（指紋認証装置）６０の電源をオンとし、指紋認証開始を指示するとともに、タイマ３２を起動し、指紋認証のための許容時間である所定時間の計時を開始させる（図２のステップＳ１４、図４の状態３）。
【００５３】
このとき同時に、ロック処理部３０２は、ランプ部４４を制御してランプ４４１を点灯（または点滅）させ、使用者に対し指紋認証を行うよう報知させる。また、ブザー４３を鳴動させ、使用者に報知させるようにしてもよい。
【００５４】
指紋認証部６０は、電源がオン（通電）されると、指紋センサ６０１に使用者の指が当てられるのを待ち、指が当てられるとその指紋を読み取り、あらかじめ登録されている正当な使用者の指紋と照合し、一致するか判定（指紋認証）する。判定の結果、一致すれば、ロック処理部３０２に認証ＯＫとして通知する。なお、正当な使用者の指紋をあらかじめ登録するメモリは、上述したように内蔵メモリ（図示せず）、あるいは外部のメモリ３１を使用することができるが、メモリ３１を使用する場合は、照合時に制御部３０を介してメモリ３１を参照する必要がある。
【００５５】
ロック処理部３０２は、タイマ３２が所定時間の計時を満了（タイムアウト）する前に、指紋認証部６０から指紋認証結果の一致（認証ＯＫ）の通知を受けると、使用者に対し自電話機の使用を許可するために、閉状態ロックの解除処理を開始する（図２のステップＳ１５のＹＥＳ側）。
【００５６】
すなわち、ロック処理部３０２は、まず、電源制御部９１を制御して指紋認証部６０の電源をオフとし、ランプ４４１の点灯も停止させる。また、ブザー４３を鳴動させていた場合は、それも停止させる（図２のステップＳ２１）。続いて、開閉検出・ロック機構５０を制御し、閉状態ロックを解除させる。これにより、使用者の操作（あるいは自動）により、上側筐体２と下側筐体４とを開いた状態にでき、入力スイッチを操作したり、表示器の表示内容を読み取ることができる（図２のステップＳ２２、図４の状態４）。
【００５７】
ロック処理部３０２による閉状態ロックの解除処理が完了すると、制御部３０は、無線部１０、音声信号処理部２０を制御して、着信処理を行い、音声出力部２１、音声入力部２２を通して、使用者が通信相手と通話できるようにする（図２のステップＳ２３）。
【００５８】
一方、ロック処理部３０２は、ステップＳ１５の処理（指紋認証部６０による指紋認証処理）で、認証ＯＫになる前にタイマ３２がタイムアウトすると（図２のステップＳ１６のＹＥＳ側）、使用者に対し自電話機の使用を許可せず、閉状態ロックを解除しない。
【００５９】
この場合、ロック処理部３０２は、電源制御部９１を制御して指紋認証部６０の電源をオフとし、ランプ４４１の点灯も停止させる。また、ブザー４３を鳴動させていた場合は、それも停止させる（図２のステップＳ１７）。その後、ステップＳ１３の処理に戻り、新たな着信を待つ。
【００６０】
次に、ロック処理部３０２の構成を詳細に説明する。
【００６１】
ロック処理部３０２は、上述したようにプログラム制御により実現される。その実現機能により、次のような各機能部に分けることができる。すなわち、ロック処理部３０２は、筐体開閉検出処理機能部と、閉状態ロック処理機能部と、閉状態ロック解除イベント検出処理機能部と、閉状態ロック判断機能部と、指紋認証開始処理機能部と、指紋認証待ち処理機能部と、認証結果判断機能部と、閉状態ロック解除処理機能部とを有する。これら各機能部の動作について、図４を再度、参照して説明する。
【００６２】
状態１は筐体開状態で、この状態から筐体を閉じた状態が状態２である。この時の制御について、説明する。筐体開閉検出処理機能部は、開閉検出・ロック機構５０からの情報により、閉状態を検出した時に閉状態ロック処理機能部をコールする。閉状態ロック処理機能部は、上側筐体２と下側筐体４とを折り畳んだ閉状態で開かない閉状態ロックにする。
【００６３】
次に、状態２から音声着信による状態３への移行、状態３から指紋認証により使用許可された場合の状態４への移行について説明する。閉状態ロック解除イベント検出処理機能部は、着信検出部３０１からの情報により音声着信を検出すると、閉状態ロック判断機能部をコールする。閉状態ロック判断機能部は、閉状態ロック中であるため、指紋認証開始処理機能部をコールする。指紋認証開始処理機能部は、指紋認証部６０の電源オン、及び指紋認証開始指示を行い、必要がある場合、認証のための正当な使用者の登録指紋情報のメモリ３１から指紋認証部６０への転送等を行い、指紋認証待ち処理機能部をコールする。
【００６４】
指紋認証待ち処理機能部は、タイマ３２を起動しながら指紋認証部６０が指紋認証完了するのを待ち、指紋認証完了した時点で認証結果判断機能部をコールする。指紋認証待ち処理機能部が待っている間に、使用者は指紋センサ６０１へ指を触れて指紋認証するが、時間内に指を触れなかった場合はタイムアウトになる。
【００６５】
認証結果判断機能部は、認証結果が使用許可（ＯＫ）のため、閉状態ロック解除処理機能部をコールする。閉状態ロック解除処理機能部は、開閉検出・ロック機構５０を制御し、閉状態ロックを解除する。状態４は、閉状態ロックを解除の後に、上側筐体２と下側筐体４を開けた状態である。
【００６６】
なお、上述の実施の形態例では、閉状態ロック解除イベントは、音声着信、メール着信としたが、事前に定義してあるイベントならその他のイベントでも閉状態ロックを解除できるようにすることができる。例えば図３の説明で述べたように、下側筐体４の側面にスイッチ４２１を設けて、このスイッチ４２１が押されたことを閉状態ロック解除イベントとすることができる。この場合の動作は、図２のステップＳ１３の処理を、「着信有り？」の判定に代えて、「スイッチ４２１が押された？」の判定にすればよい。
【００６７】
もちろん、このスイッチ４２１を設けないようにしてもよい。その場合は、一旦、閉ロック状態にすると、着信があった場合しかロック解除ができず、発信を許可したくない使用者（例えば、子供）に持たせる携帯電話機として最適となる。
【００６８】
また、上述の実施の形態例では、折り畳み式携帯電話機（ＰＤＡ）における上側筐体と下側筐体との開閉動作に対する機械的なロック設定及びロック解除を行っているが、本発明はこれに限定されることなく、特定のスイッチ（キー）操作による電子的なロック設定及びロック解除に対しても適用することができる。電子的なロック設定及びロック解除を行う場合、折り畳み式でない携帯電話機（ＰＤＡ）にも適用できる。
【図面の簡単な説明】
【００６９】
【図１】本発明の一実施の形態を示すブロック構成図である。
【図２】本発明の動作フローを示す図である。
【図３】本発明の携帯電話機の外観構造例を示す図である。
【図４】本発明の閉状態ロックの設定／解除の様子を模式的に示す図である。
【符号の説明】
【００７０】
１    携帯電話機
１０    無線部
２０    音声信号処理部
３０    制御部
３１    メモリ
３２    タイマ
４２    操作入力部
４３    ブザー
４４    ランプ部
５０    開閉検出・ロック機構
６０    指紋認証部
９０    電源部
９１    電源制御部
３０１    着信検出部
３０２    ロック処理部
６０１    指紋センサ
【図１】
2005159656.tif 000003
【図２】
2005159656.tif 000004
【図３】
2005159656.tif 000005
【図４】
2005159656.tif 000006